(57)【要約】【課題】底壁に穿設された孔から根が伸長するのを抑制して収納空間から苗を簡単に取り出すことができる育苗ポットを提供すること。【解決手段】底壁３から載置面Ｓ側に伸びる脚部７を備えているので、脚部７を載置面Ｓに載置すれば、底壁３に網目状に穿設されている底壁用孔と載置面Ｓとの間には隙間が形成される。一方、根は水を求めて伸長し、また、空気と接触する部分では伸長し難くなるという性質がある。よって、土壌Ｄの上に育苗ポット１を載置し、その土壌Ｄに水分が残っていたとしても、苗の根が底壁用孔から土壌Ｄに向けて伸長するのが抑制される。【選択図】図１
2008092880.tif 000002
【特許請求の範囲】
【請求項１】
底壁と、その底壁の縁部から上方に向かって立設する側壁と、その側壁と前記底壁とで囲まれる空間であって苗や培土を収納する収納空間と、その収納空間に培土や苗を入れるために前記側壁の上縁部により形成される開口面とを備えた育苗ポットにおいて、
前記底壁と、前記側壁とに穿設された孔と、
その孔のうち前記底壁に穿設されている孔と載置面との間に所定間隔を形成するために前記底壁から前記載置面側に伸びる脚部とを備えていることを特徴とする育苗ポット。
【請求項２】
前記脚部は、前記底壁の中心部から前記載置面側に伸びる芯部と、その芯部から放射状に伸びる複数の羽出部とを備えていることを特徴とする請求項１に記載の育苗ポット。
【請求項３】
前記羽出部の端部から前記芯部までの長さは、前記底壁の縁部から前記底壁の中心部までの長さ以下に構成されていることを特徴とする請求項２に記載の育苗ポット。
【請求項４】
前記芯部の前記底壁と対向する部分には、前記底壁に穿設されている孔に嵌め込まれる突起部が立設されていることを特徴とする請求項２又は３に記載の育苗ポット。
【請求項５】
前記側壁の内面の横断面は、前記底壁の内面とほぼ相似形であって前記底壁側から前記開口面側に向けて連続して大きくなるように構成されており、
前記脚部の高さは、前記底壁の内面から前記側壁の内面の横断面が前記底壁の外面とほぼ一致する位置までの高さ以下に構成されていることを特徴とする請求項１から４のいずれかに記載の育苗ポット。
【請求項６】
前記底壁に穿設されている孔は、網目状に形成されていることを特徴とする請求項１から５のいずれかに記載の育苗ポット。
【請求項７】
前記側壁に穿設されている孔は、底壁側から開口面側に伸びる短冊状に形成されていることを特徴とする請求項１から６のいずれかに記載の育苗ポット。
【請求項８】
前記側壁に穿設されている孔は、前記側壁の上縁部との間に所定間隔を空けた位置に穿設されていることを特徴とする請求項１から７のいずれかに記載の育苗ポット。
【発明の詳細な説明】
【技術分野】
【０００１】
本発明は、育苗ポットに関し、特に、底壁に穿設された孔から根が伸長するのを抑制して収納空間から苗を簡単に取り出すことができる育苗ポットに関する。
【背景技術】
【０００２】
従来より、植物の苗を育苗する育苗ポットが知られている。この育苗ポットに関し、次の特許文献１には、側壁４に側面通気孔８と下部通気孔１０とが形成され、底壁２に排水孔１４が形成された植物栽培容器１が記載されている。
【特許文献１】特開２００４−２９０１０５号公報
【発明の開示】
【発明が解決しようとする課題】
【０００３】
しかしながら、上述した特許文献１に記載されている植物栽培容器１では、例えば、イチゴの苗に要求される排水性と通気性とを満足させることができなかった。そこで、本出願人は、育苗ポットの排水性、通気性を更に向上させるために、底壁に網目状に孔を形成した育苗ポットを提案した。
【０００４】
しかし、底壁に網目状に孔を形成した育苗ポットを土壌の上に置いて、イチゴの苗を栽培したところ、根が孔から伸長して土壌内に侵入することがあった。その結果、イチゴの苗を育苗ポットから取り出す際に、根が土壌に引っ掛かり、イチゴの苗を育苗ポットから簡単に取り出すことができないという問題点があった。
【０００５】
本発明は、上述した問題点を解決するためになされたものであり、底壁に穿設された孔から根が伸長するのを抑制して苗を簡単に取り出すことができる育苗ポットを提供することを目的としている。
【課題を解決するための手段】
【０００６】
この目的を達成するために請求項１記載の育苗ポットは、底壁と、その底壁の縁部から上方に向かって立設する側壁と、その側壁と前記底壁とで囲まれる空間であって苗や培土を収納する収納空間と、その収納空間に培土や苗を入れるために前記側壁の上縁部により形成される開口面とを備えたものであって、前記底壁と、前記側壁とに穿設された孔と、その孔のうち前記底壁に穿設されている孔と載置面との間に所定間隔を形成するために前記底壁から前記載置面側に伸びる脚部とを備えている。
【０００７】
請求項２記載の育苗ポットは、請求項１記載の育苗ポットにおいて、前記脚部は、前記底壁の中心部から前記載置面側に伸びる芯部と、その芯部から放射状に伸びる複数の羽出部とを備えている。
【０００８】
請求項３記載の育苗ポットは、請求項２に記載の育苗ポットにおいて、前記羽出部の端部から前記芯部までの長さは、前記底壁の縁部から前記底壁の中心部までの長さ以下に構成されている。
【０００９】
請求項４記載の育苗ポットは、請求項２または３に記載の育苗ポットにおいて、前記芯部の前記底壁と対向する部分には、前記底壁に穿設されている孔に嵌め込まれる突起部が立設されている。
【００１０】
請求項５記載の育苗ポットは、請求項１から４のいずれかに記載の育苗ポットにおいて、前記側壁の内面の横断面は、前記底壁の内面とほぼ相似形であって前記底壁側から前記開口面側に向けて連続して大きくなるように構成されており、前記脚部の高さは、前記底壁の内面から前記側壁の内面の横断面が前記底壁の外面とほぼ一致する位置までの高さ以下に構成されている。
【００１１】
請求項６記載の育苗ポットは、請求項１から５のいずれかに記載の育苗ポットにおいて、前記底壁に穿設されている孔は、網目状に形成されている。
【００１２】
請求項７記載の育苗ポットは、請求項１から６のいずれかに記載の育苗ポットにおいて、前記側壁に穿設されている孔は、底壁側から開口面側に伸びる短冊状に形成されている。
【００１３】
請求項８記載の育苗ポットは、請求項１から７のいずれかに記載の育苗ポットにおいて、前記側壁に穿設されている孔は、前記側壁の上縁部との間に所定間隔を空けた位置に穿設されている。
【発明の効果】
【００１４】
請求項１記載の育苗ポットによれば、側壁と底壁とに孔が穿設されているので、十分な通気性と、排水性とを確保することができる。よって、高い通気性、排水性が要求される苗であっても良好な育成環境下で育成することができるという効果がある。また、底壁から載置面側に伸びる脚部を備えているので、脚部を載置面に載置すれば、底壁に穿設されている孔と載置面との間には所定間隔（隙間）が形成される。一方、根は水を求めて伸長し、また、空気と接触する部分では伸長し難くなるという性質がある。よって、載置面として土壌の上に育苗ポットを載置し、その土壌に水分が残っていたとしても、底壁に穿設されている孔と載置面との間には所定間隔（隙間）が形成されているので、育苗している苗の根が底壁に穿設されている孔から土壌に向けて伸長するのが抑制される。従って、収納空間から苗を簡単に取り出すことができるという効果がある。
【００１５】
請求項２記載の育苗ポットによれば、請求項１に記載の育苗ポットの奏する効果に加え、脚部は、底壁の中心部から載置面側に伸びる芯部と、その芯部から放射状に伸びる複数の羽出部とを備えているので、安定して載置させることができるという効果がある。また、底壁が脚部によって囲まれることがないので、載置面と底壁との間の通気性を確保することができるという効果がある。
【００１６】
請求項３記載の育苗ポットによれば、請求項２に記載の育苗ポットの奏する効果に加え、羽出部の端部から芯部までの長さは、底壁の縁部から底壁の中心部までの長さ以下に構成されているので、一の育苗ポットの収納空間内に、他の育苗ポットを積層させた場合に、他の育苗ポットの底壁が一の育苗ポットの側壁の内面に接触する前に、他の育苗ポットの脚部が一の育苗ポットの側壁の内面に接触することがない。よって、かかる積層状態で複数の育苗ポットを収納する場合に、積層方向において省スペースで育苗ポットを収納することができるという効果がある。
【００１７】
請求項４記載の育苗ポットによれば、請求項２又は３に記載の育苗ポットの奏する効果に加え、芯部の底壁と対向する部分には、底壁に穿設されている孔に嵌め込まれる突起部が立設されているので、簡単に、脚部を取り付けることができるという効果がある。
【００１８】
請求項５記載の育苗ポットによれば、請求項１から４のいずれかに記載の育苗ポットの奏する効果に加え、脚部の高さは、底壁の内面から前記側壁の内面の横断面が底壁の外面とほぼ一致する位置までの高さ以下に構成されているので、一の育苗ポットの収納空間内に、他の育苗ポットを積層させた場合、他の育苗ポットの底壁が一の育苗ポットの側壁の内面に接触する前に、他の育苗ポットの脚部が一の育苗ポットの底面の内面に接触することがない。よって、かかる積層状態で複数の育苗ポットを収納する場合に、積層方向において省スペースで育苗ポットを収納することができるという効果がある。
【００１９】
請求項６記載の育苗ポットによれば、請求項１から５のいずれかに記載の育苗ポットの奏する効果に加え、底壁に穿設されている孔は、網目状に形成されているので、十分な通気性、排水性を確保することができる。また、根が孔から伸長するのを抑制することができるという効果がある。
【００２０】
請求項７記載の育苗ポットによれば、請求項１から６のいずれかに記載の育苗ポットの奏する効果に加え、側壁に穿設されている孔は、底壁側から開口面側に伸びる短冊状に形成されているので、側壁に穿設されている孔から根が外に伸長したとしても、収納空間から苗を育苗ポットから取り出す際に、根が側壁に穿設されている孔に引っ掛かることが抑制され、苗を収納空間から簡単に取り出すことができるという効果がある。
【００２１】
請求項８記載の育苗ポットによれば、請求項１から７のいずれかに記載の育苗ポットの奏する効果に加え、側壁に穿設されている孔は、側壁の上縁部との間に所定間隔を空けた位置に穿設されているので、開口面から注がれる水を底壁側に導くことができる。よって、苗に十分に水が供給され、良好な状態で苗を育成することができるという効果がある。
【発明を実施するための最良の形態】
【００２２】
以下、本発明の好ましい実施例について添付図面を参照して説明する。図１は、本発明の育苗ポット１の外観側面図である。育苗ポット１は、苗を育成するためのものであり、特に、底壁３に穿設されている底壁用孔３ａ（図２参照）から根が伸長するのを抑制して収納空間５から育成した苗を簡単に取り出すことができるものである。また、育苗ポット１は、高い通気性、排水性が要求される苗（例えば、イチゴの苗）を育成するのに特に適している。
【００２３】
育苗ポット１は、底壁３と、その底壁３の縁部から上方に向かって立設する側壁４と、その側壁４と底壁３とで囲まれる空間であって苗や培土を収納する収納空間５と、その収納空間５に苗や培土を入れるために側壁４の上縁部により形成される開口面６と、底壁３から載置面側に伸びる脚部７とを備えている。また、底壁３には底壁用孔３ａ（図２参照）が網目状に穿設され、側壁４の全周には底壁３側から開口面６側に伸びる短冊状の複数本の側壁用孔４ａが上下２段に並んで穿設されている。
【００２４】
苗は、収納空間５に充填されている培土に植えられ、開口面６から水や肥料等が施されながら育成される。尚、この育苗ポット１は、載置面Ｓを構成する土壌Ｄに載置されているものとする。
【００２５】
次に、図２を参照して、育苗ポット１のうち、脚部７を除く、底壁３と、側壁４と、収納空間５と、開口面６とによって構成される育苗ポット本体１ａの構成について詳細に説明する。図２（ａ）は育苗ポット本体１ａの平面図であり、図２（ｂ）は育苗ポット本体１ａの側面図である。育苗ポット本体１ａは、ポリエチレンやポリプロピレン等の合成樹脂製であって、肉厚を略２ｍｍとする所謂硬質ポットであり、主に、苗の育成を担う部分である。
【００２６】
底壁３は、その外形を一辺Ａが略４７ｍｍの正方形状とし、その角部は曲線状に形成されている。また、その内部には、四隅部を除いて、網目状に底壁用孔３ａが穿設されている。各底壁用孔３ａは、一辺が略３ｍｍの正方形状に穿設されており、この底壁用孔３ａによって通気性、排水性が確保されている。
【００２７】
また、底壁３の四隅部と、中央部とには、後述する脚部７に立設されている突起部７ｃが嵌め込まれる嵌合孔３ｂが穿設されている。この嵌合孔３ｂに脚部７の突起部７ｃが嵌め込まれることにより、育苗ポット本体１ａに脚部７が取り付けられる。
【００２８】
側壁４は、底壁３から開口面６に向かって拡径し開口面６で終端し、その高さＨ１は略７５ｍｍに構成されている。換言すれば、側壁４の内面の横断面は、底壁３の内面とほぼ相似形であって底壁３側から開口面６側に向けて連続して大きくなるように構成されている。
【００２９】
また、側壁４には、その全周に亘って、底壁３側から開口面６側に伸びる短冊状に複数本の側壁用孔４ａが上下２段に並んで穿設されている。各側壁用孔４ａは、幅略３ｍｍ、高さ略２７ｍｍの短冊状に形成されており、この側壁用孔４ａによって通気性、排水性が確保されている。側壁用孔４ａを網目状ではなく、短冊状に形成することで、側壁用孔４ａから根が外に伸長したとしても、収納空間５から育成した苗を取り出す際に、根が側壁用孔４ａに引っ掛かることが抑制され、苗を収納空間５から簡単に取り出すことができる。
【００３０】
また、上段の側壁用孔４ａの開口面６側の端部と、側壁４の上縁部との間には所定間隔Ｌが形成されている。このように、上段の側壁用孔４ａの開口面６側の端部を側壁４の上縁部まで形成しないことで、開口面６から注がれる水を底壁３側に導くことができ、苗に十分に水を供給することができる。
【００３１】
尚、開口面６は一辺が略６０ｍｍの正方形状に形成され、この育苗ポット本体１ａは略１９０ｃｃの収容容量を有している。
【００３２】
次に、図３を参照して、脚部７の構成について詳細に説明する。図３（ａ）は脚部７の平面図であり、図３（ｂ）は脚部７の側面図である。脚部７は、育苗ポット本体１ａを安定して支持すると共に、底壁用孔３ａを載置面Ｓから引き離すためのものである。
【００３３】
脚部７は、中心部に位置する芯部７ａと、その芯部７ａから放射状に伸びる複数の羽出部７ｂとを備え、芯部７ａの底壁３と対向する部分、各羽出部７ｂの底壁３と対向する部分には、底壁３に穿設されている嵌合孔３ｂに嵌め込まれる突起部７ｃが立設されている。
【００３４】
脚部７は、芯部７ａが底壁３の中心から載置面Ｓ側に伸び、各羽出部７ｂが底壁３の対角線状に沿って伸びるように育苗ポット本体１ａに着脱自在に取付けられる。芯部７ａの底壁３と対向する部分に立設する１つの突起部７ｃが底壁３の中央部の嵌合孔３ｂに、各羽出部７ｂの底壁３と対向する部分に立設する４つの突起部７ｃが底壁３の四隅部の嵌合孔３ｂに嵌め込まれる。
【００３５】
各羽出部７ｂの端部から芯部７ａの中心までの長さＣは、底壁３の対角線の長さの略半分である略３３ｍｍよりも短く構成され、本実施例では略２３ｍｍに構成されている。即ち、羽出部７ｂの長さＣは、脚部７を育苗ポット本体１ａに取り付けた場合に、底壁３から飛び出さないように（平面視で底壁３の領域内に収まるように）構成されている。
【００３６】
また、各羽出部７ｂの高さＨ２（脚部７の高さＨ２とも換言できる）は、底壁３の内面から側壁４の内面の横断面が底壁３の外面とほぼ一致する位置までの高さＨ３（図４参照）以下に構成され、本実施例では、略１３ｍｍに構成されている。
【００３７】
次に、図４を参照して、複数の育苗ポット１の収納、運搬、保管方法について説明する。図４は、３個の育苗ポット１を積層した状態における断面図である。尚、図面の理解を容易にするため、最上層の育苗ポット１以外については、模式的な断面図としている。
【００３８】
複数の育苗ポット１は、一の育苗ポット１の収納空間５内に、他の育苗ポット１を収容し、その他の育苗ポット１の収納空間５内に、更に、別の育苗ポット１を収容し、図４に示すように、積層した状態で収納、運搬、保管される。
【００３９】
このような積層状態で収納、運搬、保管される場合、上述した通り、各育苗ポット１は、各羽出部７ｂの高さＨ２（脚部７の高さＨ２とも換言できる）は、底壁３の内面から側壁４の内面の横断面が底壁３の外面とほぼ一致する位置までの高さＨ３以下に構成され、本実施例では、略１３ｍｍに構成されている。また、羽出部７ｂは、平面視で底壁３の領域内に収まるように構成されている。尚、本実施例の育苗ポット１では、高さＨ３は略１９ｍｍとなり、各羽出部７ｂの高さＨ２は、高さＨ３以下であれば良い。
【００４０】
よって、他の育苗ポット１の底壁３が一の育苗ポット１の側壁４の内面に接触する前に、他の育苗ポットの脚部７が一の育苗ポットの側壁４の内面や底壁３の内面に接触することがない。同様に、他の育苗ポット１の底壁３が一の育苗ポット１の側壁４の内面に接触する前に、別の育苗ポットの脚部７が他の育苗ポットの側壁４の内面や底壁３の内面に接触することがない。よって、かかる積層状態で複数の育苗ポット１を収納、運搬、保管する場合に、積層方向において省スペースで育苗ポット１を収納することができる。
【００４１】
以上、説明した通り、この育苗ポット１によれば、底壁３に底壁用孔３ａ、側壁４に側壁用孔４ｂが穿設されているので、苗に対して、十分な通気性と、排水性とを確保することができる。また、底壁３から載置面Ｓ側に伸びる脚部７を備えているので、脚部７を載置面Ｓに載置すれば、底壁３の底壁用孔３ａと載置面Ｓとの間には、脚部７の高さ分だけ隙間が形成される。一方、根は水を求めて伸長し、また、空気と接触する部分では伸長し難くなるという性質がある。よって、土壌Ｄの上に育苗ポット１を載置し、その土壌Ｄに水分が残っていたとしても、底壁用孔３ａと載置面Ｓとの間には隙間が形成されているので、苗の根が底壁用孔３ａから土壌Ｄに向けて伸長するのが抑制される。従って、根が土壌Ｄに引っ掛からず、収納空間５から苗を簡単に取り出すことができる。
【００４２】
次に、第２実施例の脚部１０の構成について説明する。図５（ａ）は、第２実施例の脚部１０の平面図であり、図５（ｂ）は第２実施例の脚部１０側面図である。第２実施例の脚部１０は、第１実施例の脚部７に代わるものであり、第１実施例の脚部７と同様に、育苗ポット本体１ａを安定して支持すると共に、底壁用孔３ａを載置面Ｓから引き離すためのものである。
【００４３】
脚部１０は、中心部に位置する円筒状の芯部１０ａと、その芯部１０ａから放射状に伸びる複数の羽出部１０ｂとを備え、更に、芯部１０ａの底壁３と対向する部分には、底壁３に穿設されている嵌合孔３ｂに嵌め込まれる突起部１０ｃが立設されている。尚、この第２実施例の脚部１０を育苗ポット本体１ａに取付ける場合、底壁３に穿設されている５個の嵌合孔３ｂのうち、底壁３の中心部に穿設されている１個の嵌合孔３ｂが穿設されていれば良い。
【００４４】
尚、各羽出部１０ｂの芯部１０ａの中心から端部までの長さ及び高さは（脚部７の長さＣおよび高さＨ２に相当）、第１実施例の脚部７と同様に構成されている。第２実施例の脚部１０のようにしても、第１実施例の脚部７と同様の作用、効果を奏することができる。
【００４５】
以上、上記実施例に基づき本発明を説明したが、本発明は上記実施例に何ら限定されるものでなく、本発明の主旨を逸脱しない範囲内で種々の改良変形が可能であることは容易に推察できるものである。
【００４６】
例えば、脚部７，１０の形状としては、上述したものに限定されるものではなく、底壁３の周縁部以外の部分に、脚部７，１０と同様な高さの突起を少なくとも２点以上載置面Ｓ側に突出させるように構成しても良い。この場合には、脚部と育苗ポット本体１ａとを一体成形することができる。
【００４７】
また、上述した実施例では、脚部７，１０の羽出部７ｂ、１０ｂが底壁３の対角線方向に沿って伸びるように、脚部７，１０を育苗ポット本体１ａに取付ける場合について説明したが、脚部７，１０の羽出部７ｂ、１０ｂによって底壁３の対向する一対の辺を略２等分するように脚部７，１０を育苗ポット本体１ａに取付けても良い。
【００４８】
また、上述した実施例では、突起部１７ｃを嵌込む専用の嵌合孔３ｂを底壁３に穿設する場合について説明したが、底壁３の全部に底壁用孔３ａを網目状に形成し、その底壁用孔３ａの一部を突起部１７ｃを嵌め込むための嵌合孔としても良い。
【００４９】
また、上記実施例では、育苗ポット１について具体的な数値を上げて説明したが、かかる数値にだけに限定されるものではないことは言うまでもなく、また、底壁３や底壁用穴３ａの形状も正方形に限定されるものではなく、円形、多角形であっても良い。
【図面の簡単な説明】
【００５０】
【図１】本発明の育苗ポットの外観側面図である。
【図２】（ａ）は育苗ポット本体の平面図であり、（ｂ）は育苗ポット本体の側面図である。
【図３】（ａ）は脚部の平面図であり、（ｂ）は脚部の側面図である。
【図４】複数個の育苗ポットを積層した状態における断面図である。
【図５】（ａ）は、第２実施例の脚部の平面図であり、（ｂ）は第２実施例の脚部の側面図である。
【符号の説明】
【００５１】
１            育苗ポット
３            底壁
３ａ          底壁用孔（孔の一部）
３ｂ          嵌合孔（孔の一部）
４            側壁
４ａ          側壁用孔（孔の一部）
５            収納空間
６            開口面
７，１０      脚部
７ａ          芯部
７ｂ          羽出部
７ｃ          突起部
Ｓ            載置面
【図１】
2008092880.tif 000003
【図２】
2008092880.tif 000004
【図３】
2008092880.tif 000005
【図４】
2008092880.tif 000006
【図５】
2008092880.tif 000007